(57)【要約】【課題】従来の製品情報処理装置によれば、バーコードあるいは非接触ＩＣメモリを利用して製品の情報管理を行うため、製品が破砕処理された場合、バーコードあるいは非接触ＩＣメモリも破砕され、記録された情報を読み出せなくなってしまうという問題点があった。【解決手段】製品の情報管理に利用される製品情報処理装置であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付部と、製品と製品の取扱いとのうち少なくとも一方に関する製品関連情報を受付ける製品関連情報受付部と、受付けた特定情報と製品関連情報とを送信する第１の送信部と、を具備することを特徴とする。【選択図】　図２
2004013690.tif 000002
【特許請求の範囲】
【請求項１】
製品の情報管理に利用される製品情報処理装置であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付部と、
前記製品と前記製品の取扱いとのうち少なくとも一方に関する製品関連情報を受付ける製品関連情報受付部と、
受付けた前記特定情報と前記製品関連情報とを送信する第１の送信部と、
を具備する製品情報処理装置。
【請求項２】
製品の情報管理に利用される製品情報処理装置であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付部と、
前記製品と前記製品の取扱いとのうち少なくとも一方に関する製品関連情報を受付ける製品関連情報受付部と、
受付けた前記製品特定情報と前記製品情報とを記録する第１の記録部と、
を具備する製品情報処理装置。
【請求項３】
前記付加物を前記製品に付加する付加部を更に具備する
請求項１又は２記載の製品情報処理装置。
【請求項４】
前記特定情報は、前記付加物に含まれる前記ＤＮＡと前記ＲＮＡとのうち少なくとも一方の塩基配列に関する塩基配列情報を含む
請求項１から３いずれか記載の製品情報処理装置。
【請求項５】
前記特定情報は、前記付加物に含まれる前記アミノ酸の種類に関するアミノ酸情報を含む
請求項１から４いずれか記載の製品情報処理装置。
【請求項６】
前記特定情報は、前記付加物に含まれる前記ポリペプチドのアミノ酸配列に関するアミノ酸配列情報を含む
請求項１から５いずれか記載の製品情報処理装置。
【請求項７】
前記特定情報は、前記付加物に含まれる前記高分子物質の分子配列に関する分子配列情報を含む
請求項１から６いずれか記載の製品情報処理装置。
【請求項８】
前記製品関連情報は、前記製品の処理に関する製品処理情報を含む
請求項１から７いずれか記載の製品情報処理装置。
【請求項９】
製品の情報管理に利用される製品情報管理装置であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報と、前記製品と前記製品の取扱いとのうち少なくとも一方に関する製品関連情報と、を受信する第２の受信部と、
受信した前記特定情報と前記製品関連情報とを記録する第２の記録部と、
を具備する製品情報管理装置。
【請求項１０】
前記特定情報と前記製品関連情報とのうち少なくとも一方に関する検索キー情報を受付ける第１の受付部と、
受付けられた前記検索キー情報に基づいて、前記第２の記録部に記録された情報を抽出する第１の検索部と、
前記第１の検索部により抽出された情報を出力する第２の出力部と、
を更に具備する請求項９記載の製品情報管理装置。
【請求項１１】
製品の情報管理に利用され、製品情報処理装置と製品情報管理装置とを有する製品情報処理システムであって、
前記製品情報処理装置は、前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付部と、
前記製品と前記製品の取扱いとのうち少なくとも一方に関する製品関連情報を受付ける製品情報受付部と、
受付けた前記特定情報と前記製品関連情報とを送信する第１の送信部と、
を具備し、
前記製品情報管理装置は、
前記特定情報と前記製品関連情報とを受信する第２の受信部と、
受信した前記特定情報と前記製品関連情報とを記録する第２の記録部と、
を具備する製品情報処理システム。
【請求項１２】
製品の情報管理に利用される製品情報処理方法であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付ステップと、
前記製品と前記製品の取扱いとのうち少なくとも一方に関する製品関連情報を受付ける製品関連情報受付ステップと、
受付けた前記特定情報と前記製品関連情報とを送信する第１の送信ステップと、を含む製品情報処理方法。
【請求項１３】
製品の情報管理に利用される製品情報処理方法であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付ステップと、
前記製品と前記製品の取扱いとのうち少なくとも一方に関する製品関連情報を受付ける製品関連情報受付ステップと、
受付けた前記特定情報と前記製品関連情報とを記録する第１の記録ステップと、を含む製品情報処理方法。
【請求項１４】
前記製品情報処理方法は、前記付加物を前記製品に付加する付加ステップを更に具備する
請求項１２又は１３記載の製品情報処理方法。
【請求項１５】
製品の情報管理に利用される製品情報管理方法であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報と、前記製品と前記製品の取扱いとのうち少なくとも一方に関する製品関連情報と、を受信する第２の受信ステップと、
受信した前記特定情報と前記製品関連情報とを記録する第２の記録ステップと、を具備する製品情報管理方法。
【請求項１６】
製品の情報管理に利用される製品情報処理方法であって、
前記製品に付加された、ＤＮＡと、ＲＮＡと、アミノ酸と、ポリペプチドと、前記製品を識別するために調整された分子配列を有する高分子物質と、のうち少なくとも１つを含む付加物を特定する特定情報を受付ける特定情報受付ステップと、
前記製品と前記製品の取扱いとのうち少なくとも一方に関する製品関連情報を受付ける製品情報受付ステップと、
受付けた前記特定情報と取得した前記製品関連情報とを送信する第１の送信ステップと、
前記特定情報と前記製品関連情報とを受信する第２の受信ステップと、
受信した前記特定情報と前記製品関連情報とを記録する第２の記録ステップと、を具備する製品情報処理方法。
【発明の詳細な説明】
【０００１】
【発明の属する技術分野】
本発明は、製品の情報管理のために利用される製品情報処理装置、製品情報管理装置、製品情報処理システム、製品情報処理方法及び製品情報管理方法に関する。
【０００２】
【従来の技術】
近年、製品の再利用を行う製品リサイクルネットワークにおいて、製品の情報管理を行うための装置、システム、あるいはその方法の開発が進められている。
【０００３】
一般に、メーカ及び委託されたリサイクル処理業者は、製品の再利用を行うための処理として、製品の分解、あるいは故障部分の取り替えなどを行う。そして、中古市場へ部品あるいは製品として再出荷する。一方、使い物にならない部品や製品は、廃棄物となり、廃棄物の情報管理下に置かれる。
【０００４】
上述のような製品リサイクルネットワークでの製品の情報管理装置としては、例えば、特開平７−３３４５８３号公報に開示されたリサイクルシステムや特開２００１−１７９２２９公報に開示された電気機器が知られている。前者のリサイクルシステムでは、製品に関する情報を記録したバーコードが製品に取りつけられており、後者の電気機器では、製品に関する情報を記憶した非接触ＩＣメモリが製品に取り付けられている。
【０００５】
【発明が解決しようとする課題】
しかしながら、上述した技術によれば、バーコードあるいは非接触ＩＣメモリを利用して製品の情報管理を行うため、製品が破砕処理された場合、バーコードあるいは非接触ＩＣメモリも破砕され、記録された情報を読み出せなくなってしまうという問題点があった。
【０００６】
また、情報管理の対象である製品が粒子状や液状である場合、バーコードあるいは非接触ＩＣメモリを取りつけることが困難であるという問題点があった。
【０００７】
本発明は上記に鑑みてなされたものであって、製品にバーコードや非接触ＩＣメモリ等の記録装置を取り付けることなく、製品の情報管理を行うことができるようにすることを目的とする。
【０００８】
【課題を解決するための手段】
上記の目的を達成するために、本発明の製品情報処理装置は、製品の情報管理に利用される製品情報処理装置であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付部と、製品と製品の取扱いとのうち少なくとも一方に関する製品関連情報を受付ける製品関連情報受付部と、受付けた特定情報と製品関連情報とを送信する第１の送信部と、を具備することを特徴とする。
【０００９】
また、本発明の製品情報処理装置は、製品の情報管理に利用される製品情報処理装置であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付部と、製品と製品の取扱いとのうち少なくとも一方に関する製品関連情報を受付ける製品関連情報受付部と、受付けた製品特定情報と製品情報とを記録する第１の記録部と、を具備することを特徴とする。
【００１０】
また、本発明の製品情報処理装置は、製品に、ＤＮＡと、ＲＮＡと、アミノ酸と、ポリペプチドと、製品を識別するために調整された分子配列を有する高分子物質と、のうち少なくとも１つを含む付加物を付加する付加部を更に具備することを特徴とする。
【００１１】
また、本発明の製品情報処理装置が受付ける特定情報は、付加物に含まれるＤＮＡとＲＮＡとのうち少なくとも一方の塩基配列に関する塩基配列情報を含むことを特徴とする。
【００１２】
また、本発明の製品情報処理装置が受付ける特定情報は、付加物に含まれるアミノ酸の種類に関するアミノ酸情報を含むことを特徴とする。
【００１３】
また、本発明の製品情報処理装置が受付ける特定情報は、付加物に含まれるポリペプチドのアミノ酸配列に関するアミノ酸配列情報を含むことを特徴とする。
【００１４】
また、本発明の製品情報処理装置が受付ける特定情報は、付加物に含まれる高分子物質の分子配列に関する分子配列情報を含むことを特徴とする。
請求項１から６いずれか記載の製品情報処理装置。
【００１５】
また、本発明の製品情報処理装置が受付ける製品関連情報は、製品の処理に関する製品処理情報を含むことを特徴とする。
【００１６】
また、本発明の製品情報管理装置は、製品の情報管理に利用される製品情報管理装置であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報と、製品に関する製品関連情報と、を受信する第２の受信部と、受信した特定情報と製品関連情報とを記録する第２の記録部と、を具備することを特徴とする。
【００１７】
また、本発明の製品情報管理装置は、特定情報と製品関連情報とのうち少なくとも一方に関する検索キー情報を受付ける第１の受付部と、受付けられた検索キー情報に基づいて、第２の記録部に記録された情報を抽出する第１の検索部と、抽出された情報を出力する第２の出力部と、を更に具備することを特徴とする。
【００１８】
また、本発明の製品情報処理システムは、製品の情報管理に用いられ、製品情報処理装置と製品情報管理装置とを有する製品情報処理システムであって、製品情報処理装置は、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付部と、製品と製品の取扱いとのうち少なくとも一方に関する製品関連情報を受付ける製品情報受付部と、受付けた特定情報と取得した製品関連情報とを送信する第１の送信部と、を具備し、製品情報管理装置は、特定情報と製品関連情報とを受信する第２の受信部と、受信した特定情報と製品関連情報とを記録する第２の記録部と、を具備することを特徴とする。
【００１９】
また、本発明の製品情報処理方法は、製品の情報管理に利用される製品情報処理方法であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付ステップと、製品と製品の取扱いとのうち少なくとも一方に関する製品関連情報を受付ける製品関連情報受付ステップと、受付けた特定情報と製品関連情報とを送信する第１の送信ステップと、を具備することを特徴とする。
【００２０】
また、本発明の製品情報処理方法は、製品の情報管理に利用される製品情報処理方法であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付ステップと、製品と製品の取扱いとのうち少なくとも一方に関する製品関連情報を受付ける製品関連情報受付ステップと、受付けた製品特定情報と製品情報とを記録する第１の記録ステップと、を具備することを特徴とする。
【００２１】
また、本発明の製品情報処理方法は、製品に、ＤＮＡと、ＲＮＡと、アミノ酸と、ポリペプチドと、製品を識別するために調整された分子配列を有する高分子物質と、のうち少なくとも１つを含む付加物を付加する付加ステップを更に具備することを特徴とする。
【００２２】
また、本発明の製品情報処理方法は、製品の情報管理に利用される製品情報管理方法であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報と、製品に関する製品関連情報と、を受信する第２の受信ステップと、受信した特定情報と製品関連情報とを記録する第２の記録ステップと、を具備することを特徴とする。
【００２３】
また、本発明の製品情報処理方法は、製品の情報管理に用いられる製品情報処理方法であって、製品に付加された、ＤＮＡと、ＲＮＡと、アミノ酸と、ポリペプチドと、製品を識別するために調整された分子配列を有する高分子物質と、のうち少なくとも１つを含む付加物を特定する特定情報を受付ける特定情報受付ステップと、製品と製品の取扱いとのうち少なくとも一方に関する製品関連情報を受付ける製品情報受付ステップと、受付けた特定情報と取得した製品関連情報とを送信する第１の送信ステップと、特定情報と製品関連情報とを受信する第２の受信ステップと、受信した特定情報と製品関連情報とを記録する第２の記録ステップと、を具備することを特徴とする。
【００２４】
【発明の実施の形態】
以下に、本発明の一実施の形態を、添付の図面を参照して詳細に説明する。なお、本実施の形態によって本発明が限定されるものではない。
【００２５】
図１は、本実施の形態における製品情報処理システムの概略を示す図である。この製品情報処理システムは、製品１の情報管理に利用され、１以上の製品情報処理装置１０と１以上の製品情報管理装置２０と１以上の付加装置３０とを有する。
【００２６】
ここで、製品１は、情報管理の対象物である。製品１は、例えば、新製品、中古品、廃棄物、処理物、部品等である。また、製品１は、材料や原料等を含んでも構わない。
【００２７】
製品情報処理装置１０は、内部にＣＰＵ等の演算部を備え、収集した情報に分類・整理・選択・演算などの処理を施して、目的に応じた情報を得られるように加工することができる装置である。製品情報処理装置１０は、例えば、パーソナルコンピュータ、携帯端末、ゲーム機、携帯型電話機、デジタルテレビ、車載装置等である。
【００２８】
製品情報管理装置２０は、収集した情報に分類・整理・選択などの処理を施して、情報を管理することができる装置である。製品情報管理装置２０は、例えば、情報収集を行うサーバ等である。
【００２９】
付加装置３０は、ＤＮＡと、ＲＮＡと、アミノ酸と、ポリペプチドと、製品を識別するために調整された分子配列を有する高分子物質と、のうち少なくとも１つを含む付加物を製品１に付加する装置である。付加装置３０は、例えば、塗装装置、散布装置、噴霧装置等である。
【００３０】
付加物は、例えば、予め塩基配列が特定されたＤＮＡとＲＮＡ、予め種類が特定されたアミノ酸、予めアミノ酸配列が特定されたポリペプチド、予め分子配列が特定された高分子物質、とのうち少なくとも１つを含む着色剤、塗装剤、散布剤等である。また、付加物は、製品を作製するときに付加されても構わないし、製品を処理するときに付加されても構わない。
【００３１】
また、製品情報管理装置２０に対して、自治体や警察等の端末がインターネットや公衆回線等を利用して通信可能に接続されていても構わない。この場合、各端末から製品情報管理装置２０に記録された情報を閲覧することができる。
【００３２】
図２は、本実施の形態における製品情報処理システムの構成を示すブロック図である。
【００３３】
製品情報処理装置１０は、製品１に付加された付加物に含まれる、ＤＮＡと、ＲＮＡと、アミノ酸と、ポリペプチドと、製品を識別するために調整された分子配列を有する高分子物質と、のうち少なくとも１つを特定する特定情報を受付ける特定情報受付部１００、製品１と製品１の取扱いとのうち少なくとも一方に関する製品関連情報を受付ける製品関連情報受付部１０５、特定情報と製品関連情報とを送信する送信部１１０、を有する。
【００３４】
特定情報は、例えば、製品１に付加された付加物に含まれるＤＮＡやＲＮＡの塩基配列情報、ＤＮＡやＲＮＡの塩基配列を識別するための情報、アミノ酸の種類に関するアミノ酸情報、ポリペプチドのアミノ酸配列情報に関するアミノ酸配列情報、製品を識別するために調整された分子配列を有する高分子物質の分子配列に関する情報等である。
【００３５】
製品関連情報は、例えば、製品の中身、重量、材質等の製品の属性情報や、製品の識別情報、製品処分時の排出業者、中間処理業者、最終処分業者等の情報を含むマニフェスト情報等の製品処理情報である。
【００３６】
特定情報受付部１００は、情報を受付ける部分である。特定情報受付部１００は、例えば、ＬＡＮ、ＷＡＮ、インターネット、専用回線、公衆回線、ＤＳＲＣ（Ｄｅｄｉｃａｔｅｄ　Ｓｈｏｒｔ　Ｒａｎｇｅ　Ｃｏｍｍｕｎｉｃａｔｉｏｎ）、Ｂｌｕｅｔｏｏｔｈ、ＩｒＤＡ（Ｉｎｆｒａｒｅｄ　Ｄａｔａ　Ａｓｓｏｃｉａｔｉｏｎ）、非接触ＩＣカード等を利用する無線有線受信部または有線受信部や、入力ボタン、キーボード、タッチパネル、リモコン、無線ＩＤタグ、バーコード等を利用する入力部である。
【００３７】
製品関連情報受付部１０５は、情報を受付ける部分である。製品関連情報受付部１０５は、例えば、製品の処理業者の送信装置からの情報を受信する無線受信部または有線受信部や、製品処理者による入力を受付ける入力部である。
【００３８】
送信部１１０は、情報を送信する部分である。送信部１１０は、例えば、ＬＡＮ、ＷＡＮ、インターネット、専用回線、公衆回線、ＤＳＲＣ、Ｂｌｕｅｔｏｏｔｈ、ＩｒＤＡ、非接触ＩＣカード等を利用する送信部である。
【００３９】
製品情報管理装置２０は、特定情報と製品関連情報とを受信する受信部２００、受信した特定情報と製品関連情報とを記録する記録部２０５、特定情報と製品関連情報とのうち少なくとも一方に関する検索キー情報を受付ける受付部２１０、受付けられた検索キー情報に基づいて記録部２０５に記録された情報を抽出する検索部２１５、検索部で抽出された情報を出力する出力部２２０、を有する。
【００４０】
検索キー情報は、例えば、特定情報の全部或いは一部を含む情報や、製品関連情報の全部或いは一部を含む情報等である。
【００４１】
受信部２００は、情報を受信する部分である。受信部２００は、例えば、無線受信部または有線受信部である。
【００４２】
記録部２０５は、情報を記録する部分である。記録部２０５は、例えば、磁気ディスク、光ディスク、光磁気ディスク、半導体メモリ等の持ち運びされる記録媒体や、ハードディスク等の固定用の記録部である。
【００４３】
受付部２１０は、情報を受付ける部分である。受付部２１０は、例えば、無線受信部または有線受信装部や、入力部である。
【００４４】
検索部２１５は、検索キー情報に基づいて情報の抽出を行う部分である。検索部２１５は、例えば、制御部である。
【００４５】
出力部２２０は、情報を出力する部分である。出力部２２０は、例えば、表示出力部、音声出力部、印字出力部、情報送信のための出力部等である。
【００４６】
付加装置３０は、特定情報を送信する送信部３００、ＤＮＡとＲＮＡとアミノ酸とポリペプチドとのうち少なくとも１つを含む付加物を付加する付加部３０５、特定情報を受付ける受付部３１０、を有する。
【００４７】
送信部３００は、情報を送信する部分である。送信部３００は、例えば、無線送信部または有線送信部である。
【００４８】
付加部３０５は、付加物を付加する部分である。付加部３０５は、例えば、塗装部、散布部、噴霧部等である。
【００４９】
受付部３１０は、情報を受付ける部分である。受付部３１０は、例えば、送信装置からの情報を受信する無線受信部または有線受信部や、付加処理者による入力を受付ける入力部である。
【００５０】
以上の構成において、本実施の形態の動作について図面を参照して説明する。
【００５１】
まず、図３に示すフローチャートに基づいて、付加装置３０の動作、製品情報処理装置１０の動作、をそれぞれ説明する。
【００５２】
まず、付加装置３０の動作を説明する。
【００５３】
受付部３１０は、付加物に含まれるＤＮＡとＲＮＡとアミノ酸とポリペプチドとのうち少なくとも１つを特定する特定情報を受付け、送信部３００に転送する（ステップＳ３０１）。付加部３０５は、付加物を付加し、ステップＳ３０３に行く（ステップＳ３０２）。送信部３００は、特定情報を製品情報処理装置１０に送信する（ステップＳ３０３）。
【００５４】
次に、製品情報処理装置１０の動作を説明する。
【００５５】
特定情報受付部１００は、特定情報を付加装置３０から受付け、特定情報を送信部１１０に転送し、ステップＳ１０２に行く（ステップＳ１０１）。製品関連情報受付部１０５は、製品関連情報を受付け、送信部１１０に転送し、ステップ１０３に行く（ステップＳ１０２）。送信部１１０は、特定情報と製品関連情報とを製品情報管理装置２０に送信する（ステップＳ１０３）。
次に、図４に示すフローチャートに基づいて、製品情報管理装置２０の動作を説明する。
【００５６】
受信部２００は、特定情報と製品関連情報とを受信したか否かを判断する。特定情報と製品関連情報とを受信すれば、特定情報と製品関連情報とを記録部２０５に転送し、ステップＳ２０２に行き、特定情報と製品関連情報とを受信しなければ、ステップＳ２０３に行く（ステップＳ２０１）。記録部２０５は、特定情報と製品関連情報とを記録する（ステップＳ２０２）。検索部２１５は、検索キー情報を受付けたか否かを判断する。検索キー情報を受付ければ、ステップＳ２０４に行き、検索キー情報を受付けなければ、ステップＳ２０６に行く（ステップＳ２０３）。検索部２１５は、検索キー情報に基づいて情報を抽出し、出力部２２０に転送する（ステップＳ２０４）。出力部２２０は、抽出された情報を出力する（ステップＳ２０５）。受付部２１０は、終了信号が入力されたか否かを判断する。終了信号が入力されれば終了し、終了信号が入力されなければステップＳ２０１に戻る（ステップＳ２０６）。
【００５７】
ここで、上記図３と図４の各フローチャートで説明した動作について、特定情報がＤＮＡの塩基配列情報、製品関連情報が電子マニフェスト情報である場合の具体例を説明する。
【００５８】
図５は、製品情報処理装置１０が、特定情報と製品関連情報とを受付け、受付けた特定情報と製品関連情報とを送信する一具体例である。ここでは、製品情報処理装置１０が、特定情報としてＤＮＡ塩基配列情報「ＡＣＡＧＣＡ・・・ＡＧＴＣＡＣ」を受付け、製品関連情報として電子マニフェスト情報「伝票番号・・排出業者・・・・」を受付ける。更に、製品情報処理装置１０が、受付けたＤＮＡ塩基配列情報と電子マニフェスト情報とを送信している。これにより、製品１に記録装置が取り付けられていない場合でも、製品１を特定するための情報と、製品１と製品１の取扱いとのうち少なくとも一方に関する情報と、を管理することができる。
【００５９】
図６は、製品情報管理装置２０の記録部２０５が、特定情報と製品関連情報とを記録する一具体例である。ここでは、ＤＮＡ塩基配列情報と電子マニフェスト情報が対に記録されている。これにより、検索部２１５は、ＤＮＡ塩基配列情報と電子マニフェスト情報とのうち少なくとも一方に関する検索キー情報に基づいて、情報を抽出することができる。
【００６０】
図７は、製品１から特定情報を取得する一具体例である。ここでは、製品１から付加物が採取され、前処理により付加物からＤＮＡが抽出される。抽出されたＤＮＡは、市販のＤＮＡシーケンサ装置により処理され、採取された付加物に含まれるＤＮＡの塩基配列情報が得られる。これにより、不法投棄等がされた製品１の付加物に含まれるＤＮＡの塩基配列情報を取得できる。更に、図６で説明した検索を利用することにより、取得されたＤＮＡの塩基配列情報に基づいて、不法投棄等がされた製品１の製品関連情報を取得することができる。
【００６１】
なお、図７では、ＤＮＡシーケンサを利用するＤＮＡの塩基配列の特定を説明したが、ＤＮＡチップを利用して塩基配列の特定を行っても構わない。また、付加物がＲＮＡを含む場合、含まれるＲＮＡを抽出し、市販のＲＮＡ特定装置等でＲＮＡの特定を行っても構わない。また、付加物がアミノ酸を含む場合、含まれるアミノ酸を抽出し、市販のアミノ酸分析装置等でアミノ酸の種類の特定を行っても構わない。また、付加物がポリペプチドを含む場合、含まれるポリペプチドを抽出し、市販のアミノ酸配列特定装置等でアミノ酸配列の特定を行っても構わない。
【００６２】
また、上述の実施の形態においては、製品情報処理装置１０が、受付けた特定情報と製品関連情報とを送信するが、図示しない記録部に、受付けた特定情報と製品関連情報とを記録しても構わない。これにより、製品情報処理装置１０において特定情報と製品関連情報とを管理することができる。
【００６３】
また、上述の実施の形態においては、製品情報処理システムが付加装置を有している。しかし、情報処理システムが付加装置を有せず、製品情報処理装置１０が、付加物を製品１に付加する付加部を有しても構わない。これにより、製品情報処理装置１０以外の付加装置を有することなく、付加物を製品１に付加することができる。
【００６４】
上述したように、本発明の実施の形態によれば、製品情報処理装置１０が、製品１に付加された付加物に含まれるＤＮＡとＲＮＡとのうち少なくとも一方の特定情報を受付け、製品１の製品関連情報を受付け、受付けた特定情報と製品関連情報とを送信する。これにより、製品１に記録装置が取り付けられていない場合でも、製品１を特定するための情報と、製品１と製品１の取扱いとのうち少なくとも一方に関する情報と、を管理することができる。
【００６５】
また、製品情報管理情報２０が、特定情報と製品関連情報とを受信し、受信した特定情報と製品関連情報とを記録する。これにより、製品１に記録装置が取り付けられていない場合でも、製品１を特定するための情報と、製品１と製品１の取扱いとのうち少なくとも一方に関する情報と、を管理することができる。
【００６６】
また、製品情報管理装置２０が、更に、特定情報と製品関連情報とのうち少なくとも一方に関する情報を検索キー情報として受付ける受付部と、受付けられた検索キー情報に基づいて、記録部に記録された情報を抽出する検索部と、を有する。これにより、特定情報及び／又は製品関連情報に関する情報を取得した場合に、取得した情報を基に特定情報及び／又は製品関連情報を取得することができる。
【００６７】
なお、上述した実施の形態に係る製品情報処理システムの全部又は一部を実現するコンピュータプログラムを、フロッピーディスク等の磁気ディスク、ＲＯＭ，ＥＰＲＯＭ，フラッシュＲＯＭ等の半導体メモリ（カートリッジ，ＰＣカード等に内蔵されているものを含む）、ＣＤ−ＲＯＭ，ＤＶＤ等の光ディスク、ＭＯ等の光磁気ディスク、等の持ち運びされる記録媒体に格納し、この記録媒体に記録されたプログラムを、情報提供システムに内蔵されるＲＯＭ，ＲＡＭ，ハードディスク等の固定用の記録媒体にインストールすることによって、その情報提供システムに上述した機能を具備させることもできる。
【００６８】
また、このプログラムを、ＬＡＮ，ＷＡＮ，インターネット等のネットワークを介して伝送し、伝送されたプログラムを情報提供システムの固定用の記録媒体にインストールするようにしてもよい。また、このプログラムは、必ずしも単一に構成されるものに限られず、複数のモジュールやライブラリとして分散構成されていてもよいし、ＯＳ等の別個のプログラムと協働してその機能を達成するものであってもよい。さらに、このプログラムは、圧縮されていてもよいし、暗号化されていてもよい。
【００６９】
【発明の効果】以上説明したように、本発明によれば、製品にバーコードや非接触ＩＣメモリ等の記録装置を取り付けることなく、製品の情報管理を行うことができる。
【図面の簡単な説明】
【図１】本実施の形態における製品情報処理システムの概略を示す図
【図２】本実施の形態における製品情報処理システムのブロック図
【図３】本実施の形態における付加装置及び製品情報処理装置の動作を示すフローチャート
【図４】本実施の形態における製品情報管理装置の動作を示すフローチャート
【図５】本実施の形態における製品情報処理装置が特定情報及び製品関連情報の受付及び送信を行う状態の一例を示す図
【図６】本実施の形態における製品情報管理装置が受信した特定情報及び製品関連情報を記録する状態の一例を示す図
【図７】本実施の形態における製品情報管理装置が検索キー情報として受付ける情報を取得する状態の一例を示す図
【符号の説明】
１…製品
１０…製品情報処理装置
２０…製品情報管理装置
３０…付加装置
１００…特定情報受付部
１０５…製品関連情報受付部
１１０，３００…送信部
２００…受信部
２０５…記録部
２１０，３１０…受付部
２１５…検索部
２２０…出力部
３０５…付加部
【図１】
2004013690.tif 000003
【図２】
2004013690.tif 000004
【図３】
2004013690.tif 000005
【図４】
2004013690.tif 000006
【図５】
2004013690.tif 000007
【図６】
2004013690.tif 000008
【図７】
2004013690.tif 000009